(57)【特許請求の範囲】
【請求項１】
被取付け部材に取り付けられる本体と、この本体に装着され、あらかじめ設定された収納位置から操作位置までの範囲で回動自在なハンドルと、を備えたハンドル装置において、
前記本体には、対向する両側壁の内面に凹溝又は透孔からなる一対の軸受と、これら各軸受とそれぞれ一定の間隔を隔てた部位に一対の押え壁と、が一体形成されており、
前記ハンドルには、一対の支持壁と、これら各支持壁の外側面から外方へ突出した一対の回転軸と、が一体形成されており、
前記一対の回転軸は、前記各軸受にそれぞれ本体側壁の内側から入り込んで軸支され、
前記押え壁と支持壁とは、少なくとも、前記ハンドルが前記収納位置にあるときは対向せず、前記ハンドルが前記操作位置にあるときは前記押え壁が前記支持壁の内側に対向配置され、
前記ハンドルが前記操作位置にあって前記支持壁が軸方向に変位したとき、当該支持壁が前記押え壁に当接することで、前記回転軸が前記軸受に入り込んだ状態を保持し当該軸受から外れない構成となっていることを特徴とするハンドル装置。
【請求項２】
前記支持壁に対向する前記押え壁の側面と前記軸受の開口面との間隔は、前記押え壁に対向する前記支持壁の側面から前記回転軸の先端までの長さよりも小さく設定してあることを特徴とする請求項１のハンドル装置。
【請求項３】
前記押え壁と前記支持壁の各対向面の間隔は、前記回転軸が前記軸受内に入り込んでいる長さよりも小さく設定してあることを特徴とする請求項１又は２のハンドル装置。
【請求項４】
前記回転軸の基端と前記軸受の開口部との間の間隔は、前記押え壁と支持壁の各対向面の間隔よりも小さく設定してあることを特徴とする請求項１乃至３のいずれか一項に記載のハンドル装置。
【請求項５】
前記本体及びハンドルを樹脂成形してなる請求項１乃至４のいずれか一項に記載のハンドル装置において、
前記回転軸の基端周囲に、前記支持壁の外側面から突出した平坦な座面を形成するとともに、前記軸受の開口部周囲にも、前記本体の内側面から突出した平坦な座面を形成し、これら各座面を対向配置することでこれら各座面間の隙間をもって前記回転軸の軸方向の遊び寸法を規定したことを特徴とするハンドル装置。
【請求項６】
一端が自由端となっているばね支持片を、前記一対の軸受をとおる直線上で、前記本体と一体に形成したことを特徴とする請求項１乃至５のいずれか一項に記載のハンドル装置。
【発明の詳細な説明】
【技術分野】
【０００１】
この発明は、自動車の収容空間等を閉塞するトランクボードに装着され、このトランクボードを開閉する際に用いられるハンドル装置に関する。
【背景技術】
【０００２】
一般に、自動車のラゲージフロアの床面には、スペアタイヤや工具等を収納しておくための収納空間が設けられている。この収容空間の上面開口部は、図８に示すように、トランクボード１と称する床板によって閉塞されてる。トランクボード１にはハンドル装置が装着してあり、同装置のハンドル３０を把持してトランクボード１を引き上げることで、収納空間の上面開口部を開くことができる。
【０００３】
従来のハンドル装置は、本体とハンドルとを回転軸となる一本の金属ピンによって連結した構成のものが多い。金属ピンによって本体へ回動自在に装着されたハンドルは、大きな引張力を受けても本体から脱落することなく、安定して長期間の使用に耐えうる強度を有している。しかしながら、金属ピンという独立した部品が必要となるため、部品点数が多く組立作業や部品管理が煩雑となったり、製品コストが高価格化する課題を有していた。
【０００４】
そこで、従来にあっても、特許文献１に示すように、金属ピンを省略し、ハンドルに回転軸を一体形成した構成のものが開示されている。同文献１に示すラッチ装置は、同文献１の図３、７に示すように、ハンドル（handle）の外側面から一対の回転軸（projections）が突出しており、これらの回転軸をハウジング（housing）に形成した軸受（opening）に挿入することで、ハウジングへのハンドルの組み付けを容易に行うことができる。
【特許文献１】米国特許６７１９３３２号公報
【発明の開示】
【発明が解決しようとする課題】
【０００５】
しかしながら、特許文献１の構成では、ハンドルを把持してトランクボードを持ち上げる際、ハンドルを引っ張る力が回転軸に作用する。一般に、トランクボードは大きな重量があり、これを持ち上げるとき、回転軸に過大な引張力が作用することとなり、この引張力が回転軸と繋がるハンドルのアーム部分をたわませてしまう。その結果、回転軸が軸受から抜け出す方向に移動して、最終的に軸受から回転軸が外れてしまうおそれがあった。
【０００６】
本発明はこのような事情に鑑みてなされたもので、ハンドルに回転軸を一体形成することで部品点数の削減を図るとともに、ハンドルを大きな力で引っ張っても、当該回転軸が軸受から外れてしまうおそれのないハンドル装置の提供を目的とする。
【課題を解決するための手段】
【０００７】
上記目的を達成するために、請求項１の発明は、
被取付け部材に取り付けられる本体と、この本体に装着され、あらかじめ設定された収納位置から操作位置までの範囲で回動自在なハンドルと、を備えたハンドル装置において、
前記本体には、対向する両側壁の内面に凹溝又は透孔からなる一対の軸受と、これら各軸受とそれぞれ一定の間隔を隔てた部位に一対の押え壁と、が一体形成されており、
前記ハンドルには、一対の支持壁と、これら各支持壁の外側面から外方へ突出した一対の回転軸と、が一体形成されており、
前記一対の回転軸は、前記各軸受にそれぞれ本体側壁の内側から入り込んで軸支され、
前記押え壁と支持壁とは、少なくとも、前記収納位置において各壁は対向せず、前記操作位置において前記押え壁が前記支持壁の内側に対向配置され、
前記操作位置において前記支持壁が軸方向に変位したとき、当該支持壁が前記押え壁に当接することで、前記回転軸が前記軸受に入り込んだ状態を保持し当該軸受から外れない構成となっていることを特徴とする。
【０００８】
請求項２の発明は、請求項１を前提として、前記支持壁に対向する前記押え壁の側面と前記軸受の開口面との間隔が、前記押え壁に対向する前記支持壁の側面から前記回転軸の先端までの長さよりも小さく設定してあることを特徴とする。
【０００９】
請求項３の発明は、請求項１又は２を前提として、前記押え壁と前記支持壁の各対向面の間隔が、前記回転軸が前記軸受内に入り込んでいる長さよりも小さく設定してあることを特徴とする。
【００１０】
請求項４の発明は、請求項１乃至３のいずれか一項を前提として、
前記回転軸の基端と前記軸受の開口部との間の間隔が、前記押え壁と支持壁の各対向面の間隔よりも小さく設定してあることを特徴とする。
【００１１】
請求項５の発明は、前記本体及びハンドルを樹脂成形してなる請求項１乃至４のいずれか一項を前提として、
前記回転軸の基端周囲に、前記支持壁の外側面から突出した平坦な座面を形成するとともに、前記軸受の開口部周囲にも、前記本体の内側面から突出した平坦な座面を形成し、これら各座面を対向配置することでこれら各座面間の隙間をもって前記回転軸の軸方向の遊び寸法を規定したことを特徴とする。
【００１２】
請求項６の発明は、請求項１乃至５のいずれか一項を前提として、
一端が自由端となっているばね支持片を、前記一対の軸受をとおる直線上で、前記本体と一体に形成したことを特徴とする。
【００１３】
請求項１の発明によれば、回転軸をハンドルの支持壁に一体形成したので、部品点数が削減され、組立作業や部品管理の簡易化、ひいては製品のコストの低減を図ることができる。しかも、回転軸に過大な引張力が作用し支持壁にたわみが生じて軸方向に変位しても、当該支持壁に内側から押え壁が当接して支持壁のたわみ変形を規制するので、軸受から回転軸が外れてしまうおそれがない。
また、ハンドルが収納位置にあるときは支持壁が押え壁と対向しないように、両壁の形成位置を調整してあるので、ハンドルを収納位置へ収めるようにして本体へ押し込み、その過程で支持壁をたわませながら回転軸を軸受に挿入することが可能となり、本体へのハンドルの組み付け作業を容易に行うことができる。
【００１４】
特に、請求項２や請求項３のように構成することで、回転軸に過大な引張力が作用して支持壁にたわみが生じても、軸受から回転軸が外れる前に当該支持壁に内側から押え壁が当接して支持壁のたわみ変形を規制するので、軸受からの回転軸の離脱を確実に防止することができる。
【００１５】
請求項４の発明によれば、回転軸の基端と軸受の開口部との間の間隔が、回転軸に対する軸方向の遊び寸法を規定する。この間隔を押え壁と支持壁の各対向面の間隔よりも小さく設定することで、回転軸が軸方向へ移動しても、支持壁が押え壁に至る前にその移動が規制されるので、両壁の当接による摩耗や、両壁の衝突に伴う耳障りな打音を生じるおそれがなく、良好な操作性を得ることができる。
【００１６】
さて、ハンドル装置の各構成部品を樹脂成形した場合、回転軸の基端周囲や、軸受の開口部周囲など、角部に相当する部位の加工精度は一般に低くなる。そこで、請求項５の発明のごとく、これら回転軸の基端周囲及び軸受の開口部周囲から、平坦な座面を突出形成し、これら座面の間で回転軸の軸方向への遊び寸法を規定することで、当該遊び寸法を高精度に調整することが可能となる。
【００１７】
請求項６の発明によれば、ばね支持片にねじりコイルばねを装着し、当該ねじりコイルばねの付勢力によってハンドルが操作位置から収納位置へと復元できるように構成することが可能となる。しかも、ばね支持片は本体と一体形成されているので、部品点数が増加することもない。
【発明の効果】
【００１８】
以上説明したように、本発明によれば、回転軸をハンドルの支持壁に一体形成したので、部品点数が削減され、組立作業や部品管理の簡易化、ひいては製品のコストの低減を図ることができる。しかも、回転軸に過大な引張力が作用して支持壁にたわみが生じても、当該支持壁に内側から押え壁が当接して支持壁のたわみ変形を規制するので、軸受から回転軸が外れてしまうおそれがない。
【発明を実施するための最良の形態】
【００１９】
以下、この発明の実施の形態について図面を参照して詳細に説明する。
図１乃至図７は、本発明の実施形態に係るハンドル装置を説明するための図である。図１は、本実施形態に係るハンドル装置の全体構成を示す斜視図であり、図２は、同じく全体構成を示す分解斜視図である。
図１及び図２に示すように、本実施形態のハンドル装置は、トランクボード１の被取付け部分に取り付けられる本体１０と、この本体１０に装着され、あらかじめ設定された収納位置から操作位置までの範囲で回動自在なハンドル３０と、を備えている。図１（ａ）はハンドル３０が収納位置にある状態を示し、同図（ｂ）はハンドル３０が操作位置にある状態を示している。ハンドル３０は、後述するように、常時、ねじりコイルばねの付勢力をもって収納位置に配置されている。
なお、これら本体１０及びハンドル３０はプラスチック等の合成樹脂からなる樹脂成形品である。
【００２０】
ハンドル装置は、例えば図８に示すように、自動車のラゲージフロア２の収納空間を閉塞するトランクボード１の一端縁側の中央近傍位置に取り付けられる。このトランクボード１は、常態では収納空間の開口を閉塞しており、この常態位置からハンドル装置のハンドル３０を把持して引き上げることにより、収納空間の開口を開放することができる。
【００２１】
図３は、本実施形態に係るハンド装置のハンドルを示す展開図であり、（ａ）は上面図、（ｂ）は背面図、（ｃ）は側面図である。
図２及び図３に示すように、ハンドル装置のハンドル３０は、本体１０に軸支される基端部３１と、この基端部３１から連続し、中央が開口した操作部３２とを有している。ハンドル３０の基端部３１には、両端縁において下方に延出する一対の支持壁３４と、これら各支持壁３４の外側面から外方へ突出した一対の回転軸３３と、が一体形成されている。
【００２２】
図４は、本実施形態に係るハンド装置の本体を示す展開図であり、（ａ）は上面図、（ｂ）は側面図、（ｃ）は（ａ）のＡ−Ａ線断面図である。
図２及び図４に示すように、ハンドル装置の本体１０には、表面１１から陥没して収納凹部１２が形成してある。この収納凹部１２は、前部がハンドル３０の基端部３１を収納するための一定の深さを備えた第１の凹部１３として形成してあり、後部がハンドル３０の操作部３２を収納し、第１の凹部１３よりも浅い第２の凹部１４として形成してある。これら、第１の凹部１３と第２の凹部１４は連続して形成してあり、その境界部分には段部１５が形成されている。また収納凹部１２の後部には、略中央部分が第２の凹部１４から突き出し、本体の表面１１と同じ高さを有する膨出部１６が形成されている。
【００２３】
収納凹部１２には、第１の凹部１３の両端において対向する両側壁１７の内面に、透孔からなる一対の軸受１８が穿設してある。この軸受１８には、後述するハンドル３０の回転軸３３が挿入される。なお、本実施形態の軸受１８は透孔として形成してあるが、これに限定されないことは勿論であり、例えば、軸受１８を凹溝に形成してもよい。
【００２４】
また収納凹部１２には、一対の押え壁１９と一対の回動ストッパ２０が第１の凹部１３内に、さらにばね支持片２１が第１、第２の凹部１３、１４の間の段部１５に、それぞれ一体形成されている。一対の押え壁１９は、各軸受１８とそれぞれ一定の間隔を隔てた位置において、両側壁１７と平行に形成してある。一方、回動ストッパ２０は、第１の凹部１３から任意の傾斜を有して突出させた形状であり、この回動ストッパ２０にハンドル３０の基端が当接することで、それ以上のハンドル３０の回動を規制する構成である。この回動ストッパ２０が、ハンドル３０の回動端となる操作位置を規定している。
【００２５】
段部１５から延出したばね支持片２１は、図２，図４（ｂ）に示すように、基部２１ａが本体の段部１５から延出しており、さらに基部２１ａの先端から円柱状のばね支持部２１ｂが横方向に延びており、このばね支持部２１ｂの先端が自由端となっている。ばね支持部２１ｂは、一対の軸受１８をとおる直線上に位置決めしてあり、ここにねじりコイルばね４０が装着される。ハンドル３０は、このねじりコイルばね４０の付勢力によって、操作位置から収納位置へ向かう回動方向に常時付勢されている。本実施形態では、ばね支持片２１が本体１０と一体形成されているので、部品点数が増加することはない。
【００２６】
図５は、本実施形態に係るハンドル装置のハンドルの回動位置を示す側面断面図であり、（ａ）はハンドルが収納位置にある図、（ｂ）はハンドルを収納位置から露出させた図、（ｃ）はハンドルが操作位置にある図である。
同図（ａ）に示すように、ハンドル３０が収納位置にあるとき、ハンドル３０の支持壁３４と本体１０の押え壁１９は互いに対向しない位置関係に設定してある。ハンドル装置の組立ては、まず本体１０のばね支持片２１にねじりコイルばね４０を装着し、次にハンドル３０の一対の回転軸３３を、各軸受１８にそれぞれ本体１０の内側から入り込ませることで組み立てる（図２参照）。このとき、ハンドル３０の支持壁３４は、本体１０の両側壁１７に当接してたわみを生じるが、収納位置における姿勢を保持して組み付けることで、支持壁３４が押え壁１９と干渉することなく、回転軸３３を軸受１８に係合させることが可能である。
本体１０に組み付けられたハンドル３０は、回転軸３３が軸受１８に軸支され、回転軸３３を中心に回動自在である。
【００２７】
ハンドル３０を回動操作する場合、ハンドル３０の基端部３１を軽く押圧することで、操作部３２を収納位置から回動させ、収納凹部１２から露出させることができる（図５（ｂ）参照）。収納凹部１２から露出したハンドル３０の操作部３２を把持して操作位置まで回動させると、この操作位置では支持壁３４が押え壁１９と対向するように、両壁３４，１９は構成されている（図５（ｃ）参照）。
【００２８】
図６は、本実施形態に係るハンドル装置の回転軸と軸受との関係を示す図であり、（ａ）は拡大斜視図、（ｂ）は拡大断面図である。
図６に示すように、回転軸３３の基端周囲には、支持壁３４の外側面から突出する平坦な座面３３ａが形成してある。また、軸受１８の開口部周囲にも、本体の内側面から突出する平坦な座面１８ａが形成してある。これら各座面１８ａ、３３ａは、本体１０にハンドル３０を組み付けた際に対向配置される。回転軸３３の軸方向の遊び寸法は、これら各座面３３ａ，１８ａ間の隙間Ｌ５により規定される。
【００２９】
樹脂成形品である本体１０及びハンドル３０は、回転軸３３の基端周囲や、軸受１８の開口部周囲など、角部に相当する部位の加工精度が一般に低くなる。このため、ハンドル３０は、支持壁３４と本体１０の側壁１７との間に隙間が形成され、がたつきをもって組み付けられるおそれがある。しかし本実施形態のように、回転軸３３の基端周囲及び軸受１８の開口部周囲に平坦な座面１８ａ、３３ａを突出形成し、これら座面１８ａ、３３ａの間で回転軸３３の軸方向への遊び寸法を規定することで、この遊び寸法を高精度に調整することが可能となる。
【００３０】
図７は、本実施形態に係るハンドル装置のハンドルが操作位置にあるときの回転軸及び軸受の関係を示す拡大断面図であり、（ａ）はハンドルに引き上げ方向の外力が作用していない状態を示し、（ｂ）はハンドルに引き上げ方向の外力が作用している状態を示している。
図７（ａ）に示すように、本実施形態のハンドル装置は、ハンドル３０が操作位置にあるとき、支持壁３４に対向する押え壁１９の側面と、軸受１８の開口面との間隔Ｌ１が、押え壁１９に対向する支持壁３４の側面から回転軸３３の先端までの長さＬ２よりも小さく設定してある。また視点を変えてみると、押え壁１９と支持壁３４の各対向面の間隔Ｌ３は、回転軸３３が軸受１８内に入り込んでいる長さＬ４よりも小さく設定してある。
【００３１】
いま、ハンドル３０を把持してトランクボード１を引き上げると、回転軸３３と軸受１８との接点に過大な引き上げ方向の外力が作用する。この外力の作用によって支持壁３４が、図７（ｂ）に示すごとくたわみを生じ、回転軸３３が軸受１８から抜け出ようとする。しかし、上述したごとくＬ１＜Ｌ２、Ｌ３＜Ｌ４となるように間隔を設定してあるため、軸受１８から回転軸３３が抜け出る前に、支持壁３４が押え壁１９に当接し、それ以上のたわみが規制される。そのため、軸受１８から回転軸３３が外れるおそれがない。
【００３２】
また図７（ａ）に示すように、回転軸３３及び軸受１８の周囲に形成した各座面１８ａ，３３ａの隙間Ｌ５は、押え壁１９と支持壁３４の各対向面の間隔Ｌ３よりも小さく設定してある。したがって、隙間Ｌ５の範囲でハンドル３０が軸方向へ移動しても、支持壁３４が押え壁１９に当接することがなく、各壁３４，１９間の摩擦や衝突による打音の発生を防止することができ、良好な操作性を得ることができる。
【００３３】
なお、本発明は、上述した実施形態に限定されるものではなく、種々の変形例や応用例が可能なことは勿論である。例えば、本発明は、特許文献１に開示されているようなラッチ付きのハンドル装置に適用することも可能である。
【図面の簡単な説明】
【００３４】
【図１】本実施形態に係るハンドル装置の全体構成を示す斜視図であり、（ａ）はハンドルが収納位置にある状態の図、（ｂ）はハンドルが操作位置にある状態の図である。
【図２】本実施形態に係るハンドル装置の全体構成を示す分解斜視図である。
【図３】本実施形態に係るハンド装置のハンドルを示す展開図であり、（ａ）は上面図、（ｂ）は背面図、（ｃ）は側面図である。
【図４】本実施形態に係るハンド装置の本体を示す展開図であり、（ａ）は上面図、（ｂ）は側面図、（ｃ）は（ａ）のＡ−Ａ線断面図である。
【図５】本実施形態に係るハンドル装置のハンドルの回動位置を示す側面断面図であり、（ａ）はハンドルが収納位置にある図、（ｂ）はハンドルを収納位置から露出させた図、（ｃ）はハンドルが操作位置にある図である。
【図６】本実施形態に係るハンドル装置の回転軸と軸受との関係を示す図であり、（ａ）は拡大斜視図、（ｂ）は拡大断面図である。
【図７】本実施形態に係るハンドル装置のハンドルが操作位置にあるときの回転軸及び軸受の関係を示す拡大断面図であり、（ａ）はハンドルに引き上げ方向の外力が作用していない状態を示し、（ｂ）はハンドルに引き上げ方向の外力が作用している状態を示している。
【図８】自動車のトランクボードにハンドル装置が取り付けてある図である。
【符号の説明】
【００３５】
１：トランクボード、２：ラゲージフロア、
１０：本体、１１：表面、１２：収納凹部、１３：第１の凹部、１４：第２の凹部、１５：段部、１６：膨出部、１７：側壁、１８：軸受、１９：押え壁、
２０：回動ストッパ、２１：ばね支持片、
３０：ハンドル、３１：基端部、３２：操作部、３３：回転軸、３４：支持壁、
４０：ねじりコイルばね
【図１】
0005046763.tif 000002
【図２】
0005046763.tif 000003
【図３】
0005046763.tif 000004
【図４】
0005046763.tif 000005
【図５】
0005046763.tif 000006
【図６】
0005046763.tif 000007
【図７】
0005046763.tif 000008
【図８】
0005046763.tif 000009